(57)【要約】【課題】原稿浮きによる画像情報の品質劣化を抑制すると共に、光利用効率が高く、小型な原稿照明ユニット、並びにそれを用いた画像読取装置及び画像形成装置を提供すること。【解決手段】一列に配列された複数の点光源１と、前記複数の点光源１から射出された光を原稿まで反射して導く反射部材３と、を備える原稿照明ユニットであって、前記複数の点光源１の光の射出方向は、前記原稿を載置するための原稿台４の法線方向と略平行、且つ、当該複数の点光源１から見た前記原稿台４の方向と反対であり、前記反射部材３は、前記複数の点光源１に対向して配置される複数の反射面を有し、該複数の反射面は、前記複数の点光源の配列方向に垂直な断面において、いずれも当該断面と前記複数の点光源１を結ぶ直線との交点Ｃ０近傍を焦点とする曲面であることを特徴とする。【選択図】図１
2010199875.tif 000002
【特許請求の範囲】
【請求項１】
一列に配列された複数の点光源と、
前記複数の点光源から射出された光を原稿まで反射して導く反射部材と、を備える原稿照明ユニットであって、
前記複数の点光源の光の射出方向は、前記原稿を載置するための原稿台の法線方向と略平行、且つ、当該複数の点光源から見た前記原稿台の方向と反対であり、
前記反射部材は、前記複数の点光源に対向して配置される複数の反射面を有し、
該複数の反射面は、前記複数の点光源の配列方向に垂直な断面において、いずれも当該断面と前記複数の点光源を結ぶ直線との交点近傍を焦点とする曲面であることを特徴とする原稿照明ユニット。
【請求項２】
前記複数の反射面は、少なくとも第１の曲率半径を有する反射面と、第２の曲率半径を有する反射面とを含み、
前記第１の曲率半径を有する反射面は、前記複数の点光源の配列方向に垂直な断面において、前記複数の点光源からの射出光を、前記原稿台と略平行方向に反射することを特徴とする請求項１に記載の原稿照明ユニット。
【請求項３】
前記第１の曲率半径を有する反射面及び第２の曲率半径を有する反射面は、いずれも前記複数の点光源の配列方向において直線状であることを特徴とする請求項２に記載の原稿照明ユニット。
【請求項４】
前記第１の曲率半径を有する反射面及び第２の曲率半径を有する反射面は、いずれも前記複数の点光源の夫々に対して１対１で対応した複数の反射部を有し、
該複数の反射部はいずれも、前記複数の点光源の配列方向において曲線状であり、且つ、当該対応する点光源から射出された光の前記配列方向への拡散を集束して反射することを特徴とする請求項２に記載の原稿照明ユニット。
【請求項５】
前記第１の曲率半径を有する反射面は、前記複数の点光源の光の射出方向に配置されていることを特徴とする請求項２に記載の原稿証明ユニット。
【請求項６】
前記第１の曲率半径を有する反射面と、前記第２の曲率半径を有する反射面とは、一体で形成されていることを特徴とする請求項２に記載の原稿照明ユニット。
【請求項７】
前記第２の曲率半径を有する反射面は、前記第１の反射面と隣接して配置されていることを特徴とする請求項２に記載の原稿照明ユニット。
【請求項８】
前記第１の曲率半径を有する反射面は、前記複数の点光源の配列方向に垂直な断面において、中心位置Ｃ１からの距離がＬ１である円形状の一部であり、且つ、当該断面と前記複数の点光源を結ぶ直線との交点Ｃ０から前記中心位置Ｃ１までの距離Ｌ０が、前記Ｌ１の略１／２倍であり、
前記交点Ｃ０と前記中心位置Ｃ１を結ぶ直線は、前記原稿台に対して略平行となることを特徴とする請求項２に記載の原稿照明ユニット。
【請求項９】
前記複数の点光源の配列方向に垂直な断面において、前記第１の曲率半径を有する反射面は、中心位置をＣ１とする円形状の一部であり、前記第２の曲率半径を有する反射面は、中心位置をＣ２とする円形状の一部であり、
当該断面と前記複数の点光源を結ぶ直線との交点Ｃ０と、前記Ｃ１と、前記Ｃ２とで形成され、前記交点Ｃ０を頂点とする角θ１（０°≦θ１＜１８０°）は、９０°未満であることを特徴とする請求項２に記載の原稿照明ユニット。
【請求項１０】
前記第１の曲率半径を有する反射面は、前記複数の点光源の配列方向に垂直な断面において、放物線状であり、
当該放物線の準線は、前記原稿台の法線方向と略平行であることを特徴とする請求項２記載の原稿照明ユニット。
【請求項１１】
前記複数の反射面は、前記複数の点光源からの射出光、前記第１の曲率半径を有する反射面からの反射光、及び第２の曲率半径を有する反射面からの反射光の中から選ばれる１以上の光を、前記原稿まで反射して導く第３の曲率半径を有する反射面をさらに含み、
該第３の曲率半径を有する反射面は、前記原稿からの反射光を透過する開口部を、前記第１の曲率半径を有する反射面及び前記第２の曲率半径を有する反射面で挟むように配置されていることを特徴とする請求項２に記載の原稿照明ユニット。
【請求項１２】
前記複数の点光源の配列方向に垂直な断面において、前記第１の曲率半径を有する反射面は、中心位置をＣ１とする円形状の一部であり、前記第３の曲率半径を有する反射面は、中心位置をＣ３とする円形状の一部であり、
当該断面と前記複数の点光源を結ぶ直線との交点Ｃ０と、前記Ｃ１と、前記Ｃ３とで形成され、前記交点Ｃ０を頂点とする角θ２（０°≦θ２＜１８０°）は、９０°より大きいことを特徴とする請求項１１に記載の原稿照明ユニット。
【請求項１３】
前記第３の曲率半径を有する反射面は、前記複数の点光源の配列方向に垂直な断面において、放物線状であることを特徴とする請求項１１に記載の原稿照明ユニット。
【請求項１４】
前記複数の点光源の配列方向に垂直な断面において、前記第１の曲率半径を有する反射面は、頂点位置がＰ１である放物線状であり、前記第３の曲率半径を有する反射面は、頂点位置がＰ３である放物線状であり、
当該断面と前記複数の点光源を結ぶ直線との交点Ｃ０と、前記Ｐ１と、前記Ｐ３とで形成され、前記交点Ｃ０を頂点とする角θ３（０°≦θ３＜１８０°）は、９０°より大きいことを特徴とする請求項１１に記載の原稿照明ユニット。
但し、前記Ｐ１及び前記Ｐ３は、いずれも当該放物線上に存在しても、存在しなくても良い。
【請求項１５】
前記第３の曲率半径を有する反射面は、前記第１の反射面及び前記第２の曲率半径を有する反射面と少なくとも一部が離間して配置されていることを特徴とする請求項１１に記載の原稿照明ユニット。
【請求項１６】
前記複数の点光源はＬＥＤであることを特徴とする請求項１に記載の原稿照明ユニット。
【請求項１７】
請求項１乃至１６のいずれか１項に記載の原稿照明ユニットを用いたことを特徴とする画像読取装置。
【請求項１８】
請求項１乃至１６のいずれか１項に記載の原稿照明ユニットを用いたことを特徴とする画像形成装置。
【発明の詳細な説明】
【技術分野】
【０００１】
本発明は、原稿を照明する原稿照明ユニット、並びにそれを用いた画像読取装置及び画像形成装置に関するものであり、特に、ライン状に配列された撮像素子によって原稿の画像情報を読み取るようにしたデジタル複写機及びスキャナ等に使用される原稿照明ユニットに関するものである。
【背景技術】
【０００２】
複写機等に代表される画像形成装置や、原稿の画像情報を読み取るスキャナ等の画像読取装置では、画像情報を読み取る際に原稿を照明するための原稿照明ユニットを備えている。これらの装置では、画像情報を精度良く読み取るために原稿を均一に照明する必要があることから、原稿を均一かつ効率良く照明する種々の技術が提案されている。
【０００３】
例えば、特許文献１及び２に記載されている技術は、光源からの射出光をミラーで反射させることで光の利用効率を上げると共に、さらに原稿読取面上での照明の光度分布を平坦化している。
【０００４】
尚、特許文献１に記載の技術によっても、原稿台に密着した状態で載置された原稿であれば均一な照明光で良好に読み取ることが可能ではある。しかしながら、例えば、原稿台に対して垂直な方向に反射される光線を撮像素子で読み取る画像読取装置の場合、原稿が、原稿台への光線の入射角度の１／２だけ原稿台から浮いてしまうと、強い光が直接撮像素子に正反射してしまうことになり、白とびした画像となって画像情報を正しく読み取ることができないという問題が生じる。
【０００５】
一方、特許文献２に記載の技術では、光源は原稿台と平行な方向に向けて配置されているため、光源からの射出光のうち最も光の強い成分が原稿台に直接到達することはない。
しかしながら、特許文献２に記載の技術では、光源からテーパ状に伸びる２枚の反射面を余程長くしない限り原稿台に直接光源から光が入射するため、上記特許文献１と同様の問題が生じる。さらに、特許文献２に記載の技術では、光源からの射出光のうち最も光の強い成分を原稿読取面近傍に配置した平面ミラーで反射させる構成のため、直接光源から光が入射する場合と同様、即ち、上記特許文献１と同様の問題が生じる。
【０００６】
これに対して特許文献３では、光源が原稿台とは１８０度反対方向に向けて配置され、該光源の射出方向に曲面の反射面が対向して設けられ、光源からの射出光を原稿読取面に集光する構成が開示されている。
しかしながら、特許文献３に記載の技術では、光源の射出方向に１枚の曲面の反射面を有しているだけであるため、光源が一定の大きさを有していることから、余程光源と反射面とを離間させて配置しない限り、光源自体が反射面からの反射光を原稿読取面に至る前に遮ることで影になってしまい、光源からの射出光を有効に利用することができないという問題が生じる。
【発明の概要】
【発明が解決しようとする課題】
【０００７】
本発明は、以上の従来技術における問題に鑑みてなされたものであり、原稿浮きによる画像情報の品質劣化を抑制すると共に、光利用効率が高く、小型な原稿照明ユニット、並びにそれを用いた画像読取装置及び画像形成装置を提供することを目的とする。
【課題を解決するための手段】
【０００８】
本発明者らは鋭意検討を重ねた結果、少なくとも一列に配列された複数の点光源と、前記複数の点光源から射出された光を原稿まで反射して導く反射部材と、を備える原稿照明ユニットであって、前記複数の点光源の光の射出方向は、前記原稿を載置するための原稿台の法線方向と略平行、且つ、当該複数の点光源から見た前記原稿台の方向と反対であり、前記反射部材は、前記複数の点光源に対向して配置される複数の反射面を有し、該複数の反射面は、前記複数の点光源の配列方向に垂直な断面において、いずれも当該断面と前記複数の点光源を結ぶ直線との交点近傍を焦点とする曲面であることで上記課題が解決されることを見出し、本発明を完成するに至った。
【０００９】
即ち、上記課題を解決するために本発明に係る原稿照明ユニット、画像読取装置及び画像形成装置は、具体的には下記（１）〜（１８）に記載の技術的特徴を有する。
（１）：一列に配列された複数の点光源と、前記複数の点光源から射出された光を原稿まで反射して導く反射部材と、を備える原稿照明ユニットであって、前記複数の点光源の光の射出方向は、前記原稿を載置するための原稿台の法線方向と略平行、且つ、当該複数の点光源から見た前記原稿台の方向と反対であり、前記反射部材は、前記複数の点光源に対向して配置される複数の反射面を有し、該複数の反射面は、前記複数の点光源の配列方向に垂直な断面において、いずれも当該断面と前記複数の点光源を結ぶ直線との交点近傍を焦点とする曲面であることを特徴とする原稿照明ユニットである。
【００１０】
（２）：前記複数の反射面は、少なくとも第１の曲率半径を有する反射面と、第２の曲率半径を有する反射面とを含み、前記第１の曲率半径を有する反射面は、前記複数の点光源の配列方向に垂直な断面において、前記複数の点光源からの射出光を、前記原稿台と略平行方向に反射することを特徴とする上記（１）に記載の原稿照明ユニットである。
【００１１】
（３）：前記第１の曲率半径を有する反射面及び第２の曲率半径を有する反射面は、いずれも前記複数の点光源の配列方向において直線状であることを特徴とする上記（２）に記載の原稿照明ユニットである。
【００１２】
（４）：前記第１の曲率半径を有する反射面及び第２の曲率半径を有する反射面は、いずれも前記複数の点光源の夫々に対して１対１で対応した複数の反射部を有し、該複数の反射部はいずれも、前記複数の点光源の配列方向において曲線状であり、且つ、当該対応する点光源から射出された光の前記配列方向への拡散を集束して反射することを特徴とする上記（２）に記載の原稿照明ユニットである。
【００１３】
（５）：前記第１の曲率半径を有する反射面は、前記複数の点光源の光の射出方向に配置されていることを特徴とする上記（２）に記載の原稿証明ユニットである。
【００１４】
（６）：前記第１の曲率半径を有する反射面と、前記第２の曲率半径を有する反射面とは、一体で形成されていることを特徴とする上記（２）に記載の原稿照明ユニットである。
【００１５】
（７）：前記第２の曲率半径を有する反射面は、前記第１の反射面と隣接して配置されていることを特徴とする上記（２）に記載の原稿照明ユニットである。
【００１６】
（８）：前記第１の曲率半径を有する反射面は、前記複数の点光源の配列方向に垂直な断面において、中心位置Ｃ１からの距離がＬ１である円形状の一部であり、且つ、当該断面と前記複数の点光源を結ぶ直線との交点Ｃ０から前記中心位置Ｃ１までの距離Ｌ０が、前記Ｌ１の略１／２倍であり、前記交点Ｃ０と前記中心位置Ｃ１を結ぶ直線は、前記原稿台に対して略平行となることを特徴とする上記（２）に記載の原稿照明ユニットである。
【００１７】
（９）：前記複数の点光源の配列方向に垂直な断面において、前記第１の曲率半径を有する反射面は、中心位置をＣ１とする円形状の一部であり、前記第２の曲率半径を有する反射面は、中心位置をＣ２とする円形状の一部であり、当該断面と前記複数の点光源を結ぶ直線との交点Ｃ０と、前記Ｃ１と、前記Ｃ２とで形成され、前記交点Ｃ０を頂点とする角θ１（０°≦θ１＜１８０°）は、９０°未満であることを特徴とする上記（２）に記載の原稿照明ユニットである。
【００１８】
（１０）：前記第１の曲率半径を有する反射面は、前記複数の点光源の配列方向に垂直な断面において、放物線状であり、当該放物線の準線は、前記原稿台の法線方向と略平行であることを特徴とする上記（２）記載の原稿照明ユニットである。
【００１９】
（１１）：前記複数の反射面は、前記複数の点光源からの射出光、前記第１の曲率半径を有する反射面からの反射光、及び第２の曲率半径を有する反射面からの反射光の中から選ばれる１以上の光を、前記原稿まで反射して導く第３の曲率半径を有する反射面をさらに含み、該第３の曲率半径を有する反射面は、前記原稿からの反射光を透過する開口部を、前記第１の曲率半径を有する反射面及び前記第２の曲率半径を有する反射面で挟むように配置されていることを特徴とする上記（２）に記載の原稿照明ユニットである。
【００２０】
（１２）：前記複数の点光源の配列方向に垂直な断面において、前記第１の曲率半径を有する反射面は、中心位置をＣ１とする円形状の一部であり、前記第３の曲率半径を有する反射面は、中心位置をＣ３とする円形状の一部であり、当該断面と前記複数の点光源を結ぶ直線との交点Ｃ０と、前記Ｃ１と、前記Ｃ３とで形成され、前記交点Ｃ０を頂点とする角θ２（０°≦θ２＜１８０°）は、９０°より大きいことを特徴とする上記（１１）に記載の原稿照明ユニットである。
【００２１】
（１３）：前記第３の曲率半径を有する反射面は、前記複数の点光源の配列方向に垂直な断面において、放物線状であることを特徴とする上記（１１）に記載の原稿照明ユニットである。
【００２２】
（１４）：前記複数の点光源の配列方向に垂直な断面において、前記第１の曲率半径を有する反射面は、頂点位置がＰ１である放物線状であり、前記第３の曲率半径を有する反射面は、頂点位置がＰ３である放物線状であり、当該断面と前記複数の点光源を結ぶ直線との交点Ｃ０と、前記Ｐ１と、前記Ｐ３とで形成され、前記交点Ｃ０を頂点とする角θ３（０°≦θ３＜１８０°）は、９０°より大きいことを特徴とする上記（１１）に記載の原稿照明ユニットである。
但し、前記Ｐ１及び前記Ｐ３は、いずれも当該放物線上に存在しても、存在しなくても良い。
【００２３】
（１５）：前記第３の曲率半径を有する反射面は、前記第１の反射面及び前記第２の曲率半径を有する反射面と少なくとも一部が離間して配置されていることを特徴とする上記（１１）に記載の原稿照明ユニットである。
【００２４】
（１６）：前記複数の点光源はＬＥＤであることを特徴とする上記（１）に記載の原稿照明ユニットである。
【００２５】
（１７）：上記（１）乃至（１６）のいずれか１項に記載の原稿照明ユニットを用いたことを特徴とする画像読取装置である。
【００２６】
（１８）：上記（１）乃至（１６）のいずれか１項に記載の原稿照明ユニットを用いたことを特徴とする画像形成装置である。
【発明の効果】
【００２７】
本発明によれば、原稿浮きによる画像情報の品質劣化を抑制すると共に、光利用効率が高く、小型な原稿照明ユニット、並びにそれを用いた画像読取装置及び画像形成装置を提供することができる。
【図面の簡単な説明】
【００２８】
【図１】本発明に係る原稿照明ユニットの第１の実施の形態における構成を示す概略断面図である。
【図２】本発明に係る原稿照明ユニットの第１の実施の形態における構成を示す概略斜視図である。
【図３】第１の実施の形態における複数のＬＥＤ１の構成である、等間隔に配列された複数のＬＥＤ１の構成を説明するための上面概略図、及びその照度分布を示すグラフである。
【図４】非等間隔に配列された複数のＬＥＤ１の構成を説明するための上面概略図、及びその照度分布を示すグラフである。
【図５】本発明に係る原稿照明ユニットの第２の実施の形態における構成を示す概略斜視図である。
【図６】本発明に係る原稿照明ユニットの第３の実施の形態における構成を示す概略断面図である。
【図７】本発明に係る原稿照明ユニットの第５の実施の形態における構成を示す概略断面図である。
【図８】本発明に係る原稿照明ユニットの第６の実施の形態における構成を示す概略斜視図である。
【図９】本発明に係る原稿照明ユニットの第７の実施の形態における構成を示す概略断面図である。
【図１０】本発明に係る画像読取装置の第１の実施の形態における構成を示す概略断面図である。
【図１１】本発明に係る画像読取装置の第２の実施の形態における構成を示す概略断面図である。
【図１２】本発明に係る画像形成装置の一実施の形態における構成を示す概略断面図である。
【発明を実施するための形態】
【００２９】
本発明に係る原稿照明ユニットは、一列に配列された複数の点光源１と、前記複数の点光源１から射出された光を原稿まで反射して導く反射部材３と、を備える原稿照明ユニットであって、前記複数の点光源１の光の射出方向は、前記原稿を載置するための原稿台４の法線方向と略平行、且つ、当該複数の点光源１から見た前記原稿台４の方向と反対であり、前記反射部材３は、前記複数の点光源１に対向して配置される複数の反射面を有し、該複数の反射面は、前記複数の点光源の配列方向に垂直な断面において、いずれも当該断面と前記複数の点光源１を結ぶ直線との交点Ｃ０近傍を焦点とする曲面であることを特徴とする。
【００３０】
次に、本発明に係る原稿照明ユニットについてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００３１】
〔原稿照明ユニット：第１の実施の形態〕
図１は本発明に係る原稿照明ユニットの第１の実施の形態における構成を示す概略断面図である。図１において、紙面垂直方向が複数の点光源１の配列方向であって、紙面はこの配列方向に垂直な断面と一致する。
また、図２は本発明に係る原稿照明ユニットの第１の実施の形態における構成を示す概略斜視図である。
第１の実施の形態においては、一列に配列された複数の点光源であるＬＥＤ１と、ＬＥＤ１から射出された光を原稿まで導く反射部材３とを備え、図１に示すような構成の原稿照明ユニットである。
以下、第１の実施の形態の原稿照明ユニットを構成する各部材の詳細を説明する。
【００３２】
＜点光源：ＬＥＤ１＞
本実施の形態では、一列に配列された複数の点光源であるＬＥＤ１は、ＬＥＤ１を配列可能な長さを有する基板２に保持されてなる。基板２については後述する。
本発明に用いられる点光源１としては、従来公知の各種の点光源を用いることができるが、ＬＥＤを用いることが好ましい。ＬＥＤを用いることで、従来のキセノンランプ等の管灯に比べ低消費電力であり、小型で光利用効率の高い原稿照明ユニットとすることができる。
ＬＥＤとしては従来公知のものを用いることができるが、フルカラー画像に対応するために白色ＬＥＤを用いることが好ましい。
また、ＬＥＤの形状は任意であるが、例えば、球形のものや、円形もしくは角形のチップ状のものを用いることができる。本実施の形態では、コンタクトガラス４に平行な発光面を有する角形のチップ状白色ＬＥＤを用いた。
【００３３】
ここで、コンタクトガラス（原稿台）４に平行とは、コンタクトガラス４の主面に対して平行であることを意味し、以下において同様である。また、以下においてコンタクトガラス（原稿台）４の垂直方向とは、コンタクトガラス４の主面に対して垂直方向を意味する。尚、原稿台であるコンタクトガラス４は、一対の主面を備える板状の透明部材であって、一方の（上面の）主面上に原稿を載置するものであり、本発明の原稿照明ユニットを構成するものではない。
【００３４】
ＬＥＤ１の光の射出方向は、原稿を載置するための原稿台である（本発明の原稿照明ユニットが具備するものではない）コンタクトガラス４の法線方向と略平行、且つ、ＬＥＤ１から見たコンタクトガラス４の方向と反対である。尚、本発明における点光源（ＬＥＤ）１の光の射出方向とは、点光源１の射出光成分の中で最も強い成分が射出される方向を言い、本実施の形態の場合は発光面に垂直な方向である。
【００３５】
また、本実施の形態では図３に示すように、複数のＬＥＤ１をピッチＤ１ずつ等間隔離間させて、基板２上に一列に配列させた。このときの照度分布を図３に併せて示す。
尚、図４に示すように、ＬＥＤ１の配列方向において基板２の中心部のピッチＤ２と、端部のピッチＤ３とが、Ｄ２＞Ｄ３となるように複数のＬＥＤ１を離間させて、基板２上に一列に配列させても良い。このときの照度分布を図４に併せて示す。非等間隔のＬＥＤピッチとすることで、図４に示すように、後述する画像読取装置の結像レンズの周辺光量比の性能に合わせて、両端の照明光量を持ち上げるようにして、結果として撮像素子上での照明光量を平坦化することができる。
【００３６】
＜基板２＞
基板２としては、ＬＥＤ１を保持可能なものであれば良く、充分な機械的強度を有する等の所望の特性を備えた従来公知の材料をそのまま適用できる。例えば、プラスチック基板、金属基板等が挙げられる。また、この基板２には不図示の電気回路が備え付けられ、電力の供給、制御を可能とする。
【００３７】
＜反射部材３＞
本発明において反射部材３は、ＬＥＤ１に対向して配置される複数の反射面を有するものであって、本実施の形態では、ＬＥＤ１の光の射出方向に配置された第１の曲率半径を有する反射面３Ａと、第２の曲率半径を有する反射面３Ｂとを有する。
【００３８】
反射部材３及びこれに含まれる各反射面の作製は、従来公知の材料、製法を用いることができる。
【００３９】
《第１の曲率半径を有する反射面３Ａ、第２の曲率半径を有する反射面３Ｂ》
本実施の形態では、第１の曲率半径を有する反射面３Ａは、複数のＬＥＤ１の配列方向に垂直な断面において、中心位置Ｃ１からの距離がＬ１である円形状の一部、即ち、円弧状である。立体的に見ると反射面３Ａは、複数のＬＥＤ１の配列方向と平行な中心軸を有する円筒の一部であって、円筒をその中心軸に平行な面で切断した断片の中のいずれか一方である。
【００４０】
本発明において反射面３Ａは、複数のＬＥＤ１の配列方向に垂直な断面において、ＬＥＤ１からの射出光をコンタクトガラス４と略平行方向に反射することが好ましい。略平行方向に反射することで、ＬＥＤ１及び基板２を含む光源部によって原稿面上に影が生じることがないため（反射面３Ａからの反射面が光源部によって遮られることがないため）、ＬＥＤ１からの射出光を有効に利用することが可能となる。
また、本発明において反射面３Ａは、ＬＥＤ１の光の射出方向に配置されていることが好ましい。
【００４１】
また、本実施の形態では、第２の曲率半径を有する反射面３Ｂは、複数のＬＥＤ１の配列方向に垂直な断面において、中心位置Ｃ２からの距離がＬ２である円形状の一部、即ち、円弧状である。立体的に見ると反射面３Ｂは、複数のＬＥＤ１の配列方向と平行な中心軸を有する円筒の一部であって、円筒をその中心軸に平行な面で切断した断片の中のいずれか一方である。
【００４２】
反射面３Ｂは、複数のＬＥＤ１の配列方向に垂直な断面において、ＬＥＤ１からの射出光を、前記交点Ｃ０から見た前記中心位置Ｃ２の方向と略平行な方向に反射させて、コンタクトガラス４上の原稿読取面に導く。また、反射面３Ｂは、反射面３Ａで反射されたコンタクトガラス４と略平行な反射光を、さらに反射してコンタクトガラス４上の原稿読取面に導く。
ここで原稿読取面とは、コンタクトガラス４上に載置された原稿の原稿面（コンタクトガラス４に接する面）における画像情報を読み取る領域を言う。この原稿読取面に向けて光を照射し、反射光を得ることで画像情報が読み取られる。原稿読取面は、例えば、原稿の一辺程度の長さと微小な幅とを有する領域であって、幅方向に順次移動させて原稿面積分の読み取りを行う。
【００４３】
この原稿読取面の垂直方向（図１における下方向）には、反射面（本実施の形態の場合、特に、反射面３Ｂを指す。）を配置しないことが好ましい。これは、原稿読取面の垂直方向に対して傾斜した方向に充分な光量を反射可能な反射面とすることで、原稿読取面の垂直方向に反射面を配置しない構成が実現可能となる。
原稿読取面の垂直方向に反射面を配置しない構成とすることで、原稿読取面の垂直方向から画像情報を読み取ることが可能となり、原稿照明ユニットを走査する際に発生する振動等の影響によるノイズを低減することができる。
【００４４】
さらに、本実施の形態では、反射面３Ｂは、反射面３Ａと隣接して配置されている。（反射面３Ｂは反射面３Ａの図１における右方向に隣接し連続した状態で配置されている。）
【００４５】
第１の曲率半径を有する反射面３Ａと、第２の曲率半径を有する反射面３Ｂとは、曲率半径が異なり、第２の曲率半径を有する反射面３Ｂの曲率半径のほうが、第１の曲率半径を有する反射面３Ａの曲率半径よりも大きいことが好ましい。さらに本発明においては、反射部材３に含まれる各反射面は点光源１から遠ざかるにつれて曲率半径が大きくなっていくことが好ましい。
【００４６】
また、第１の曲率半径を有する反射面３Ａと、第２の曲率半径を有する反射面３Ｂとを含む複数の反射面は、いずれも複数のＬＥＤ１の配列方向に垂直な断面において、当該断面と複数のＬＥＤ１を結ぶ直線との交点Ｃ０近傍を焦点とする曲面である。ここで、図１における交点Ｃ０とはＬＥＤ１の発光面（図１におけるＬＥＤ１の下面）の中心位置である。
図１において、第１の曲率半径を有する反射面３Ａの焦点はＣ１であり、反射面３Ａの中心に一致する。また、図１において第２の曲率半径を有する反射面３Ｂの焦点はＣ２であり、反射面３Ｂの中心に一致する。
ここで、近傍とは、発光面中心（点光源）からの光線の軌跡が変化しない範囲をさし、加えて、点光源の発光面内に交点があることが望ましい。
【００４７】
また、本実施の形態では、前記交点Ｃ０から前記中心位置Ｃ１までの距離Ｌ０が、前記Ｌ１の略１／２倍であり、前記交点Ｃ０と前記中心位置Ｃ１を結ぶ直線は、コンタクトガラス４に対して略平行となる構成である。かかる構成とすることで、ＬＥＤ１及び基板２を含む光源部によって原稿面上に影が生じることがないため、ＬＥＤ１からの射出光を有効に利用することが可能となる。
【００４８】
さらに、本実施の形態では、前記交点Ｃ０と、前記Ｃ１と、前記Ｃ２とで形成され、前記交点Ｃ０を頂点とする角θ１（０°≦θ１＜１８０°）は、９０°未満となる構成である。かかる構成とすることで、ＬＥＤ１からの射出光を、コンタクトガラス４の垂直方向に対して（ＬＥＤ１方向に）傾斜した状態で照明することが可能であるため、原稿読取面の垂直方向と反射面３Ｂの位置とをずらすことが容易となり、原稿読取面の垂直方向を画像読取方向とすることができる。
【００４９】
またさらに本実施の形態では、第１の曲率半径を有する反射面３Ａ及び第２の曲率半径を有する反射面３Ｂは、いずれも複数のＬＥＤ１の配列方向において直線状である。即ち、図２に示すように、第１の曲率半径を有する反射面３Ａ及び第２の曲率半径を有する反射面３Ｂは、いずれも複数のＬＥＤ１の配列方向において平坦であり凹凸を有しないものである。
反射面３Ａ及び反射面３ＢがＬＥＤ１の配列方向において平坦な構成とすることで、作製が容易であり、低コストである。さらに、後述する第２の実施の形態と比較すると、ＬＥＤ１からの射出光が持つ、複数のＬＥＤ１の配列方向への拡散性を損なうことなく反射することができ、例えばＬＥＤ夫々の照射機能のばらつきがあるような場合には、そのばらつきを平均化することができる。
【００５０】
本発明では、複数の発光面（本実施の形態では、第１の曲率半径を有する反射面３Ａ及び第２の曲率半径を有する反射面３Ｂ）は、一体で形成されていることが好ましい。一体で形成することで、部品点数を減少できると共に、振動等による各反射面間の相対的な距離の変動の影響を小さくして照明むらを低減することができる。
【００５１】
また本発明では、反射部材を構成する各反射面が曲面で構成されていて、ＬＥＤ１から射出された光が曲面により拡散されてコンタクトガラス４に到達するため、照明むらを低減することができ、原稿浮きによる画像欠陥を低減することができる。また換言すると、反射部材を構成する各反射面が曲面で構成されていて、この曲面で反射させてからコンタクトガラス４を照射するため、コンタクトガラス４上におけるＬＥＤ１の見かけの像を大きくすることができ、照明むらを低減することができ、原稿浮きによる画像欠陥を低減することができる。
【００５２】
〔原稿照明ユニット：第２の実施の形態〕
図５は、本発明に係る原稿照明ユニットの第２の実施の形態における構成を示す概略斜視図である。
本実施の形態では、上記第１の実施の形態とは第１の曲率半径を有する反射面３Ａ’及び第２の曲率半径を有する反射面３Ｂ’の形状が異なる以外は同一であるため、反射面３Ａ’及び第２の曲率半径を有する反射面３Ｂ’以外については説明を省略する。
【００５３】
《第１の曲率半径を有する反射面３Ａ’、第２の曲率半径を有する反射面３Ｂ’》
本実施の形態における第１の曲率半径を有する反射面３Ａ’及び第２の曲率半径を有する反射面３Ｂ’は、いずれも複数のＬＥＤ１の夫々に対して１対１で対応した複数の反射部を有する。ここで、１対１で対応するとは、各ＬＥＤ１に対して反射部が夫々存在することを言い、この反射部は、当該ＬＥＤ１から射出された光の前記配列方向への拡散を集束して反射する機能を夫々有する。かかる機能を発現するために、図５に示すように、第１の曲率半径を有する反射面３Ａ’及び第２の曲率半径を有する反射面３Ｂ’は、いずれも複数のＬＥＤ１の配列方向において曲線状である。換言すると、各反射部は、対応する各ＬＥＤ１に対して凹面を向けた構成である。
【００５４】
反射面３Ａ’及び反射面３Ｂ’がＬＥＤ１の配列方向において凹面を向けた構成とすることで、複数のＬＥＤ１の配列方向におけるＬＥＤ１からの射出光の拡散を集束することができるため、複数のＬＥＤ１の配列方向におけるＬＥＤ射出光の拡散性による照度むらを低減することができる。
【００５５】
尚、本実施の形態では各反射面がＬＥＤ１の夫々に対して１対１で対応した複数の反射部を有する構成の原稿照明ユニットであるが、本発明に係る原稿照明ユニットはこれに限定されるものではない。例えば、ＬＥＤ２個に対して１個の凹部を設けるような構成であっても良く、この他、複数のＬＥＤ１の配列方向において任意の曲線状とすることを排除するものではなく、複数のＬＥＤ１の配列方向における光の拡散を集束することができる構成であれば良い。
【００５６】
〔原稿照明ユニット：第３の実施の形態〕
図６は、本発明に係る原稿照明ユニットの第３の実施の形態における構成を示す概略断面図である。
本実施の形態では、上記第１の実施の形態とは第１の曲率半径を有する反射面３ａ及び第２の曲率半径を有する反射面３ｂの形状が異なる以外は同一であるため、反射面３ａ及び第２の曲率半径を有する反射面３ｂ以外については説明を省略する。
【００５７】
《第１の曲率半径を有する反射面３ａ、第２の曲率半径を有する反射面３ｂ》
本実施の形態における第１の曲率半径を有する反射面３ａは、複数のＬＥＤ１の配列方向に垂直な断面において、頂点位置がＰ１でＬＥＤ１の発光面の中心を焦点とする放物線状であり、当該放物線の準線は、コンタクトガラス４の法線方向と略平行な構成である。かかる構成とすることで、ＬＥＤ１からの射出光の反射面３ａでの反射方向が、コンタクトガラス４と略平行となる。
また、本実施の形態における第２の曲率半径を有する反射面３ｂは、複数のＬＥＤ１の配列方向に垂直な断面において、頂点位置がＰ２でＬＥＤ１の発光面の中心を焦点とする放物線状である。
【００５８】
さらに、複数のＬＥＤ１の配列方向に垂直な断面において、当該断面と複数のＬＥＤ１を結ぶ直線との交点Ｃ０と、前記Ｐ１と、前記Ｐ２とで形成され、前記交点Ｃ０を頂点とする角θ４（０°≦θ４＜１８０°）は、９０°未満となる構成である。但し、前記Ｐ１及び前記Ｐ２は、いずれも当該放物線上に存在しても、存在しなくても良い。即ち、反射面上に頂点を有する構造でなく、その延長上に頂点がある場合は、仮想の頂点を想定して前記角θ４を考えるものとする。かかる構成とすることで、ＬＥＤ１からの射出光を、コンタクトガラス４の垂直方向に対して（ＬＥＤ１方向に）傾斜した状態で照明することが可能であるため、原稿読取面の垂直方向と反射面３ｂの位置とをずらすことが容易となり、原稿読取面の垂直方向を画像読取方向とすることができる。
【００５９】
第１の曲率半径を有する反射面３ａと、第２の曲率半径を有する反射面３ｂとは、曲率半径が異なり、第２の曲率半径を有する反射面３ｂの曲率半径のほうが、第１の曲率半径を有する反射面３ａの曲率半径よりも大きいことが好ましい。
本実施の形態によれば、上記第１の実施の形態と同様の効果を奏する。
【００６０】
〔原稿照明ユニット：第４の実施の形態〕
本実施の形態では、上記第３の実施の形態とは第１の曲率半径を有する反射面３ａ’及び第２の曲率半径を有する反射面３ｂ’が、いずれも複数のＬＥＤ１の夫々に対して１対１で対応した複数の反射部を有する構成である以外は同一であるため、反射面３ａ’及び第２の曲率半径を有する反射面３ｂ’以外については説明を省略する。
【００６１】
《第１の曲率半径を有する反射面３ａ’、第２の曲率半径を有する反射面３ｂ’》
本実施の形態における第１の曲率半径を有する反射面３ａ’及び第２の曲率半径を有する反射面３ｂ’は、いずれも複数のＬＥＤ１の夫々に対して１対１で対応した複数の反射部を有する。ここで、１対１で対応するとは、上記第２の実施の形態と同様に、各ＬＥＤ１に対して反射部が夫々存在することを言い、この反射部は、当該ＬＥＤ１から射出された光の前記配列方向への拡散を集束して反射する機能を夫々有する。かかる機能を発現するために、第１の曲率半径を有する反射面３ａ’及び第２の曲率半径を有する反射面３ｂ’は、いずれも複数のＬＥＤ１の配列方向において曲線状である。換言すると、各反射部は、対応する各ＬＥＤ１に対して凹面を向けた構成である。
本実施の形態によれば、上記第２の実施の形態と同様の効果を奏する。
【００６２】
〔原稿照明ユニット：第５の実施の形態〕
図７は、本発明に係る原稿照明ユニットの第５の実施の形態における構成を示す概略断面図である。
本実施の形態では、上記第１の実施の形態における構成に加えて、第３の曲率半径を有する反射面３Ｃを備えること以外は同一であるため、反射面３Ｃ以外については説明を省略する。
【００６３】
《第３の曲率半径を有する反射面３Ｃ》
本実施の形態において、第３の曲率半径を有する反射面３Ｃは、複数のＬＥＤ１からの射出光、第１の曲率半径を有する反射面３Ａからの反射光、及び第２の曲率半径を有する反射面３Ｂからの反射光の中から選ばれる１以上の光を、原稿まで反射して導く反射面である。また、本実施の形態において、第３の曲率半径を有する反射面３Ｃは、原稿からの反射光を透過する開口部５を、第１の曲率半径を有する反射面３Ａ及び第２の曲率半径を有する反射面３Ｂで挟むように配置された構成である。
かかる構成とすることで、原稿読取面を反射面３Ｂとは異なる方向から照射可能となる。従って、反射面３Ｃによって、切り貼り原稿等の段差を有する原稿の画像情報を読み取る際にも原稿の段差で生じる影の発生を抑えて読み取ることができる。
また、後述する開口部５を形成するような構成であることで、反射面３Ｃをコンタクトガラス４の原稿読取面の垂直方向からずらすことができる。
【００６４】
さらに、複数のＬＥＤ１の配列方向に垂直な断面において、上述のとおり第１の曲率半径を有する反射面３Ａは、中心位置をＣ１とする円形状の一部であり、第３の曲率半径を有する反射面３Ｃは、中心位置をＣ３とする円形状の一部、即ち、円弧状である。立体的に見ると反射面３Ｃは、複数のＬＥＤ１の配列方向と平行な中心軸を有する円筒の一部であって、円筒をその中心軸に平行な面で切断した断片の中のいずれか一方である。
【００６５】
そして、前記交点Ｃ０と、前記Ｃ１と、前記Ｃ３とで形成され、前記交点Ｃ０を頂点とする角θ２（０°≦θ２＜１８０°）は、９０°より大きい構成である。かかる構成とすることで、ＬＥＤ１からの射出光を、コンタクトガラス４の垂直方向に対して（ＬＥＤ１とは反対方向に）傾斜した状態で照明することが可能であるため、原稿読取面の垂直方向と反射面３Ｃの位置とをずらすことが容易となり、原稿読取面の垂直方向を画像読取方向とすることができる。
【００６６】
また、反射面３Ｃは前記交点Ｃ０近傍に焦点を有することから、他の反射面（３Ａ，３Ｂ）とは異なる方向からの光も反射させることで照明むらを低減させることができる。
【００６７】
第１の曲率半径を有する反射面３Ａと、第３の曲率半径を有する反射面３Ｃとは、曲率半径が異なり、第３の曲率半径を有する反射面３Ｃの曲率半径のほうが、第１の曲率半径を有する反射面３Ａの曲率半径よりも大きいことが好ましい。
また同様に、第２の曲率半径を有する反射面３Ｂと、第３の曲率半径を有する反射面３Ｃとは、曲率半径が異なり、第３の曲率半径を有する反射面３Ｃの曲率半径のほうが、第２の曲率半径を有する反射面３Ｂの曲率半径よりも大きいことが好ましい。
【００６８】
《開口部５》
本発明における開口部５とは、は、原稿読取面（原稿）からの反射光を原稿照明ユニット外に配置された撮像素子（ＣＣＤ）まで導くための経路として用いられる。また、開口部５は反射部材３が有する各反射面（３Ａ等）の間に設けられた空隙により形成されることが好ましいが、例えば光透過性に優れた透明部材よりなるものであっても良い。
【００６９】
本実施の形態によれば、上記第１の実施の形態が奏する効果に加えて、第３の曲率半径を有する反射面３Ｃを備えることで切り貼り原稿等の段差を有する原稿の画像情報を読み取る際にも原稿の段差で生じる影の発生を抑えて読み取ることができる。
【００７０】
〔原稿照明ユニット：第６の実施の形態〕
図８は、本発明に係る原稿照明ユニットの第６の実施の形態における構成を示す概略斜視図である。
本実施の形態では、上記第５の実施の形態とは第１の曲率半径を有する反射面３Ａ’及び第２の曲率半径を有する反射面３Ｂ’の形状が異なる以外は同一であるため、反射面３Ａ’及び第２の曲率半径を有する反射面３Ｂ’以外については説明を省略する。
【００７１】
本実施の形態における第１の曲率半径を有する反射面３Ａ’及び第２の曲率半径を有する反射面３Ｂ’は、上記第２の実施の形態と同一である。
【００７２】
第１の曲率半径を有する反射面３Ａ’と、第３の曲率半径を有する反射面３Ｃとは、曲率半径が異なり、第３の曲率半径を有する反射面３Ｃの曲率半径のほうが、第１の曲率半径を有する反射面３Ａ’の曲率半径よりも大きいことが好ましい。
また同様に、第２の曲率半径を有する反射面３Ｂ’と、第３の曲率半径を有する反射面３Ｃとは、曲率半径が異なり、第３の曲率半径を有する反射面３Ｃの曲率半径のほうが、第２の曲率半径を有する反射面３Ｂ’の曲率半径よりも大きいことが好ましい。
【００７３】
本実施の形態によれば、上記第２の実施の形態が奏する効果に加えて、第３の曲率半径を有する反射面３Ｃを備えることで切り貼り原稿等の段差を有する原稿の画像情報を読み取る際にも原稿の段差で生じる影の発生を抑えて読み取ることができる。
【００７４】
〔原稿照明ユニット：第７の実施の形態〕
図９は、本発明に係る原稿照明ユニットの第７の実施の形態における構成を示す概略断面図である。
本実施の形態では、上記第３の実施の形態における構成に加えて、第３の曲率半径を有する反射面３ｃを備えること以外は同一であるため、反射面３ｃ以外については説明を省略する。
【００７５】
《第３の曲率半径を有する反射面３ｃ》
本実施の形態において第３の曲率半径を有する反射面３ｃは、上記第５の実施の形態における第３の曲率半径を有する反射面３Ｃと同様に、複数のＬＥＤ１からの射出光、第１の曲率半径を有する反射面３ａからの反射光、及び第２の曲率半径を有する反射面３Ｂからの反射光の中から選ばれる１以上の光を、原稿まで反射して導く反射面である。
また、本実施の形態において第３の曲率半径を有する反射面３ｃは、上記第５の実施の形態における第３の曲率半径を有する反射面３Ｃと同様に、原稿からの反射光を透過する開口部５を、第１の曲率半径を有する反射面３ａ及び第２の曲率半径を有する反射面３ｂで挟むように配置された構成である。
【００７６】
かかる構成とすることで、上述した第５の実施の形態における反射面３Ｃを備える場合と同様の効果を奏する。
【００７７】
さらに、複数のＬＥＤ１の配列方向に垂直な断面において、上述のとおり第１の曲率半径を有する反射面３ａは、複数のＬＥＤ１の配列方向に垂直な断面において、頂点位置がＰ１でＬＥＤ１の発光面の中心を焦点とする放物線状であり、当該放物線の準線は、コンタクトガラス４の法線方向と略平行な構成である。またさらに、複数のＬＥＤ１の配列方向に垂直な断面において、上述のとおり第２の曲率半径を有する反射面３ｂは、複数のＬＥＤ１の配列方向に垂直な断面において、頂点位置がＰ２でＬＥＤ１の発光面の中心を焦点とする放物線状である。
【００７８】
また、本実施の形態では、第３の曲率半径を有する反射面３ｃは、複数のＬＥＤ１の配列方向に垂直な断面において、頂点位置がＰ３でＬＥＤ１の発光面の中心を焦点とする放物線状である。
【００７９】
さらに、複数のＬＥＤ１の配列方向に垂直な断面において、当該断面と複数のＬＥＤ１を結ぶ直線との交点Ｃ０と、前記Ｐ１と、前記Ｐ３とで形成され、前記交点Ｃ０を頂点とする角θ３（０°≦θ３＜１８０°）は、９０°より大きい構成である。但し、前記Ｐ１及び前記Ｐ３は、いずれも当該放物線上に存在しても、存在しなくても良い。即ち、反射面上に頂点を有する構造でなく、その延長上に頂点がある場合は、仮想の頂点を想定して前記角θ３を考えるものとする。かかる構成とすることで、ＬＥＤ１からの射出光を、コンタクトガラス４の垂直方向に対して（ＬＥＤ１とは反対方向に）傾斜した状態で照明することが可能であるため、原稿読取面の垂直方向と反射面３ｃの位置とをずらすことが容易となり、原稿読取面の垂直方向を画像読取方向とすることができる。
【００８０】
第１の曲率半径を有する反射面３ａと、第３の曲率半径を有する反射面３ｃとは、曲率半径が異なり、第３の曲率半径を有する反射面３ｃの曲率半径のほうが、第１の曲率半径を有する反射面３ａの曲率半径よりも大きいことが好ましい。
また同様に、第２の曲率半径を有する反射面３ｂと、第３の曲率半径を有する反射面３ｃとは、曲率半径が異なり、第３の曲率半径を有する反射面３ｃの曲率半径のほうが、第２の曲率半径を有する反射面３ｂの曲率半径よりも大きいことが好ましい。
【００８１】
第３の曲率半径を有する反射面３ｃは、第１の曲率半径を有する反射面３ａ及び第２の曲率半径を有する反射面３ｂと少なくとも一部が離間して配置されている。より具体的には、複数のＬＥＤ１の配列方向に垂直な断面図において、第１の曲率半径を有する反射面３ａ及び第２の曲率半径を有する反射面３ｂと第３の曲率半径を有する反射面３ｃとは離間していることが好ましいが、必要に応じて複数のＬＥＤ１の配列方向に拡散する光を集光する作用のある一対のサイドミラーにより一体（連続した構成）となっていても良い。
【００８２】
本実施の形態によれば、上記第３の実施の形態が奏する効果に加えて、第３の曲率半径を有する反射面３ｃを備えることで切り貼り原稿等の段差を有する原稿の画像情報を読み取る際にも原稿の段差で生じる影の発生を抑えて読み取ることができる。
【００８３】
〔原稿照明ユニット：第８の実施の形態〕
本実施の形態では、上記第７の実施の形態とは第１の曲率半径を有する反射面３ａ’及び第２の曲率半径を有する反射面３ｂ’の形状が異なる以外は同一であるため、反射面３ａ’及び第２の曲率半径を有する反射面３ｂ’以外については説明を省略する。
【００８４】
本実施の形態における第１の曲率半径を有する反射面３ａ’及び第２の曲率半径を有する反射面３ｂ’は、上記第４の実施の形態と同一である。
【００８５】
第１の曲率半径を有する反射面３ａ’と、第３の曲率半径を有する反射面３ｃとは、曲率半径が異なり、第３の曲率半径を有する反射面３ｃの曲率半径のほうが、第１の曲率半径を有する反射面３ａ’の曲率半径よりも大きいことが好ましい。
また同様に、第２の曲率半径を有する反射面３ｂ’と、第３の曲率半径を有する反射面３ｃとは、曲率半径が異なり、第３の曲率半径を有する反射面３ｃの曲率半径のほうが、第２の曲率半径を有する反射面３ｂ’の曲率半径よりも大きいことが好ましい。
【００８６】
本実施の形態によれば、上記第４の実施の形態が奏する効果に加えて、第３の曲率半径を有する反射面３ｃを備えることで切り貼り原稿等の段差を有する原稿の画像情報を読み取る際にも原稿の段差で生じる影の発生を抑えて読み取ることができる。
【００８７】
以上説明した本発明に係る原稿照明ユニットの第１乃至８の実施の形態における構成では、各反射面は厳密な円筒状の一部の面や放物面である必要はなく、本発明の効果を奏する程度であれば、近似形状であっても良い。
また、本発明の効果を奏するものであれば、第１乃至８の実施の形態において開示した各反射面の構成を、それぞれ任意で組み合わせた原稿照明ユニットとしても良い。例えば、第１の曲率半径を有する反射面３Ａ、第２の曲率半径を有する反射面３ｂ’、第３の曲率半径を有する反射面３ｃの組み合わせ等、円筒状の一部の面と放物面との組み合わせや、複数のＬＥＤ１の配列方向において直線状の反射面と曲線状の反射面との組み合わせを任意で選択することができる。
【００８８】
〔画像読取装置：第１の実施の形態〕
本発明に係る画像読取装置は、本発明の原稿照明ユニットを用いたものである。
図１０は、本発明に係る画像読取装置の第１の実施の形態における構成を示す概略断面図である。
図１０において、読み取られるべき画像を有する原稿１２は「原稿台」としてのコンタクトガラス４上に平面的に定置され、コンタクトガラス４の下部に原稿照明手段を配置し、原稿照明手段としては本発明の原稿照明ユニット１３Ａとして、上述の第１〜第８の実施の形態のものを用いる（但し、図１０には第５〜第８の実施の形態の構成を示しているが、これに限定されるものではない。）。原稿照明ユニット１３Ａは第１の走行体１３により保持されていて、「図面に直交する方向に長いスリット状部分」を照明させる。原稿１２の照明された部分からの反射光（画像による反射光）は、不図示の開口部５を透過し、第１走行体１３に設けられた第１ミラー１３Ｂにより反射された後、第２走行体１４に設けられた第２ミラー１４Ａ、第３ミラー１４Ｂにより順次反射され、画像読取レンズ１５を透過し、光電変換機能を有する撮像素子としてのラインセンサ１６の撮像面上に原稿画像の縮小像として結像する。
【００８９】
第１〜第３ミラー１３Ｂ，１４Ａ，１４Ｂは「反射光学系」を構成する。第１走行体１３、第２走行体１４は、図示されない駆動手段により、それぞれ矢印方向（図１０における右方）へ走行させられる。第１走行体１３の走行速度は「Ｖ」、第２走行体１４の走行速度は「Ｖ／２」である。この走行により、第１走行体１３、第２走行体１４は、それぞれ「破線で示す位置」まで変位する。原稿照明ユニット１３Ａと、第１ミラー１３Ｂは、第１走行体１３と一体的に移動し、コンタクトガラス４上の原稿１２の全体を「照明走査」する。第１、第２走行体の移動速度比は「Ｖ：Ｖ／２」であるので「照明走査される原稿部分から画像読取レンズに至る光路長」は不変に保たれる。
【００９０】
「撮像部」であるラインセンサ１６は、「色分解手段として赤（Ｒ），緑（Ｇ），青（Ｂ）のフィルタを持った光電変換素子（１６Ａ，１６Ｂ，１６Ｃ）を、１チップに３列に配列させた３ラインＣＣＤ（３ラインのラインセンサ）」であり、原稿１２の照明走査に伴い、原稿画像を画像信号化する。このようにして原稿１２の読み取りが実行され、原稿１２のカラー画像は、赤，緑，青の３原色に色分解して読取られる。
【００９１】
また、本実施の形態における画像読取装置は、画像をフルカラーで読み取る装置であって、画像読取レンズ１５の結像光路中に設けられた「色分解手段（前記３ラインＣＣＤに設けられた赤，緑，青のフィルタ）」を有する。
【００９２】
「色分解」は、上述した形態とは別に、画像読取レンズとラインセンサ（ＣＣＤ）との間に色分解プリズムやフィルタを選択的に挿入し、Ｒ（赤），Ｇ（緑），Ｂ（青）に色分解する方法や「Ｒ，Ｇ，Ｂの光源を順次点灯させ原稿を照明する方法」を用いることができる。
【００９３】
本実施の形態の画像読取装置によれば、良好な画像読み取りが可能となると共に、従来のキセノン、ハロゲンランプよりも省エネルギーとなり、発熱の発生を抑えることができ、発熱による熱膨張等により撮像素子へのピントがずれてしまうような結像性能の劣化も抑えることができる。また、従来用いられてきた冷陰極管のように水銀等の有害物質を含むことがない画像読取装置を達成できる。
【００９４】
〔画像読取装置：第２の実施の形態〕
さらに、本発明に係る画像読取装置の他の形態として「コンタクトガラス上の原稿をスリット状に照明する原稿照明手段（原稿照明ユニット）と、ラインセンサ（撮像素子）と、原稿の被照明部からラインセンサに至る結像光路を形成する複数のミラーと、上記結像光路上に配置される画像読取レンズと」を相互に一体化した読取ユニットを、駆動手段により原稿に相対的に走行させることにより原稿を読取走査するようにした形態のものとすることもできる。
【００９５】
図１１は、本発明に係る画像読取装置の第２の実施の形態における構成を示す概略断面図である。
本実施の形態では、反射ミラー２５ａ，ｂ，ｃと結像レンズ２２、ＣＣＤ等によるラインセンサ１６と電気回路２３と、さらに本発明の照明ユニット１３Ａとして、上述の第１〜第８の実施の形態のもの（但し、図１１には第５〜第８の実施の形態の構成を示しているが、これに限定されるものではない。）とを一体で構成した画像読取装置としての画像読取ユニット２１である。画像読取ユニット２１は、コンタクトガラス４の近傍を図１１の左右方向に走査しながらコンタクトガラス４上に配置された原稿１２を原稿照明ユニット１３Ａで照明し、原稿１２からの反射光を不図示の開口部５を透過した後、反射ミラー２５ａ〜ｃで反射して画像読取レンズ１５まで導き、さらに画像読取レンズ１５で縮小結像し、ラインセンサ１６で光電変換しながら原稿情報を読み取る。
【００９６】
本実施の形態によれば、良好な画像読み取りが可能となると共に、従来のキセノン、ハロゲンランプよりも省エネルギーとなり、発熱の発生を抑えることができ、発熱による熱膨張等により撮像素子へのピントがずれてしまうような結像性能の劣化も抑えることができる。また、従来用いられてきた冷陰極管のように水銀等の有害物質を含むことがない画像読取装置を達成できる。さらに、原稿面から撮像素子までの光路長を、図１０に示す画像読取装置の第１の実施の形態における構成のように、ミラーが動く範囲を確保するように長く取る必要がなくなるため、画像読取装置の小型化が可能となる。
【００９７】
〔画像形成装置〕
本発明の画像形成装置は、本発明の原稿照明ユニットを用いたものである。
図１２は、本発明に係る画像形成装置の一実施の形態における構成を示す概略断面図である。
本実施の形態では、画像形成装置上部（図１２における上部）に位置する画像読取装置２００と、その下部に位置する「画像形成部」とを有する。画像読取装置２００の部分は、図１０に即して説明したのと同様のものであり、各部には図１０と同じ符号を付してある。尚、本発明はこの形態に限られるものではなく、図１０に示す本発明に係る画像読取装置の第１の実施の形態における構成に代えて、図１１に示す本発明に係る画像読取装置の第２の実施の形態における構成等、本発明に係る画像読取装置の構成を適用しても良い。
【００９８】
画像読取装置２００の３ラインのラインセンサ（撮像手段）１６から出力される画像信号は画像処理部１２００に送られ、画像処理部１２００において処理されて「書込み用の信号（イエロー・マゼンタ・シアン・黒の各色を書込むための信号）」に変換される。
【００９９】
画像形成部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
【０１００】
光走査装置１１７０は、帯電ローラ１１１０と現像装置１１３０との間において感光体１１００の光走査を行い感光体１１００に書き込みを行う。光走査は、信号処理部としての機能を備える画像処理部１２００から光走査装置１１７０が書き込み用の信号を受けて行う。
【０１０１】
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
【０１０２】
画像形成を行うときは、光導電性の感光体１１００が時計回りに等速回転され、その表面が帯電ローラ１１１０により均一帯電され、光走査装置１１７０のレーザビームの光書き込による露光を受けて静電潜像が形成される。形成された静電潜像は所謂「ネガ潜像」であって画像部が露光されている。
【０１０３】
「画像の書込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
【０１０４】
転写紙Ｓを収納したカセット１１８０は、画像形成装置本体に脱着可能であり、図１２に示すごとく装着された状態において、収納された転写紙Ｓの（図１２における）最上部の１枚が給紙コロ１２２０により給紙され、給紙された転写紙Ｓはその先端部をレジストローラ対１１９０に捕えられる。
【０１０５】
レジストローラ対１１９０は、転写ベルト１１４０上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧するように構成されている。
【０１０６】
カラー画像が転写された転写紙Ｓは定着装置１１６０へ送られ、定着装置１１６０においてカラー画像が定着され、図示されないガイド手段による搬送路を通り、図示されない排紙ローラ対によりトレイ１２１０上に排出される。感光体１１００の表面は、各色トナー画像が転写されるたびにクリーニング装置１１５０によりクリーニングされ、残留トナーや紙粉等が除去されることで、再度帯電ローラ１１１０による均一帯電から始まる一連の画像形成プロセスに供される。
【０１０７】
本実施の形態の画像形成装置であれば、良好な画像複写が可能となる。尚、画像形成部の構成は、周知のタンデム方式のフルカラー画像形成用の構成や、単色画像形成用の構成に変えることができる。
【符号の説明】
【０１０８】
１  ＬＥＤ（点光源）
２  基板
３Ａ，３Ａ’，３ａ，３ａ’  第１の曲率半径を有する反射面
３Ｂ，３Ｂ’，３ｂ，３ｂ’  第２の曲率半径を有する反射面
３Ｃ，３Ｃ’，３ｃ，３ｃ’  第３の曲率半径を有する反射面
４  コンタクトガラス（原稿台）
５  開口部
Ｃ１  第１の曲率半径を有する反射面３Ａの中心
Ｃ２  第２の曲率半径を有する反射面３Ｂの中心
Ｃ３  第３の曲率半径を有する反射面３Ｃの中心
Ｄ１，Ｄ２，Ｄ３  ＬＥＤ１の間隔
【先行技術文献】
【特許文献】
【０１０９】
【特許文献１】特開２００６−０４２０１６号公報
【特許文献２】特開２００８−２０９８７９号公報
【特許文献３】特開平０９−２００４３２号公報
【図１】
2010199875.tif 000003
【図２】
2010199875.tif 000004
【図３】
2010199875.tif 000005
【図４】
2010199875.tif 000006
【図５】
2010199875.tif 000007
【図６】
2010199875.tif 000008
【図７】
2010199875.tif 000009
【図８】
2010199875.tif 000010
【図９】
2010199875.tif 000011
【図１０】
2010199875.tif 000012
【図１１】
2010199875.tif 000013
【図１２】
2010199875.tif 000014